【手続補正書】
【提出日】平成29年2月2日(2017.2.2)
【手続補正１】
【補正対象書類名】明細書
【補正対象項目名】００１５
【補正方法】変更
【補正の内容】
【００１５】
そこで本発明では、本人認証を要するシステムに於いて、誤認識を抑止する、情報処理装置、情報処理システム、制御方法、及びプログラムの提供を目的とする。
【手続補正２】
【補正対象書類名】明細書
【補正対象項目名】００１６
【補正方法】変更
【補正の内容】
【００１６】
上記目的を達成するための第１の発明は、撮影して得られた画像からユーザの顔認識を行って本人認証を行う情報処理装置であって、撮影して得られた画像から顔に関する顔情報を取得する取得手段と、所定の頻度で前記取得手段によって取得した顔情報を用いて、本人認証を行う認証手段と、を備え、前記認証手段は、本人として認証がなされた後、前記所定の頻度より低い頻度に変えて、前記本人認証を行うことを特徴とする。
【手続補正３】
【補正対象書類名】明細書
【補正対象項目名】００１７
【補正方法】変更
【補正の内容】
【００１７】
上記目的を達成するための第２の発明は、クライアント端末と、管理者用端末と、サーバと、がネットワークを介して接続され、撮影して得られた画像からユーザの顔認識を行って本人認証を行う情報処理システムであって、撮影して得られた画像から顔に関する顔情報を取得する取得手段と、所定の頻度で前記取得手段によって取得した顔情報を用いて、本人認証を行う認証手段と、を備え、前記認証手段は、本人として認証がなされた後、前記所定の頻度より低い頻度に変えて、前記本人認証を行うことを備えたことを特徴とする。
【手続補正４】
【補正対象書類名】明細書
【補正対象項目名】００１８
【補正方法】変更
【補正の内容】
【００１８】
上記目的を達成するための第３の発明は、撮影して得られた画像からユーザの顔認識を行って本人認証を行う情報処理装置の制御方法であって、前記情報処理装置は、撮影して得られた画像から顔に関する顔情報を取得する取得ステップと、所定の頻度で前記取得ステップによって取得した顔情報を用いて、本人認証を行う認証ステップと、を実行し、前記認証ステップは、本人として認証がなされた後、前記所定の頻度より低い頻度に変えて、前記本人認証を行うことを実行することを特徴とする。
【手続補正５】
【補正対象書類名】明細書
【補正対象項目名】００１９
【補正方法】変更
【補正の内容】
【００１９】
上記目的を達成するための第４の発明は、撮影して得られた画像からユーザの顔認識を行って本人認証を行う情報処理装置において読取実行可能なプログラムであって、前記情報処理装置を、撮影して得られた画像から顔に関する顔情報を取得する取得手段と、所定の頻度で前記取得手段によって取得した顔情報を用いて、本人認証を行う認証手段と、して機能させ、前記認証手段は、本人として認証がなされた後、前記所定の頻度より低い頻度に変えて、前記本人認証を行うこととして機能させるためのプログラム。
【手続補正６】
【補正対象書類名】明細書
【補正対象項目名】００２０
【補正方法】変更
【補正の内容】
【００２０】
上記目的を達成するための第５の発明は、クライアント端末と、管理者用端末と、サーバと、がネットワークを介して接続され、撮影して得られた画像からユーザの顔認識を行って本人認証を行う情報処理システムの制御方法であって、前記情報処理システムは、撮影して得られた画像から顔に関する顔情報を取得する取得ステップと、所定の頻度で前記取得ステップによって取得した顔情報を用いて、本人認証を行う認証ステップと、を実行し、前記認証ステップは、本人として認証がなされた後、前記所定の頻度より低い頻度に変えて、前記本人認証を行うことを実行することを特徴とする。
【手続補正７】
【補正対象書類名】明細書
【補正対象項目名】００２１
【補正方法】変更
【補正の内容】
【００２１】
上記目的を達成するための第６の発明は、クライアント端末と、管理者用端末と、サーバと、がネットワークを介して接続され、撮影して得られた画像からユーザの顔認識を行って本人認証を行う情報処理システムで読取実行可能なプログラムあって、前記情報処理システムを、撮影して得られた画像から顔に関する顔情報を取得する取得手段と、所定の頻度で前記取得手段によって取得した顔情報を用いて、本人認証を行う認証手段と、して機能させ、前記認証手段は、本人として認証がなされた後、前記所定の頻度より低い頻度に変えて、前記本人認証を行うこととして機能させるためのプログラム。
【手続補正８】
【補正対象書類名】明細書
【補正対象項目名】００２２
【補正方法】変更
【補正の内容】
【００２２】
本発明によれば、本人認証を要するシステムに於いて、誤認識を抑止して、システムを利用させることができる、という効果を奏する。
【手続補正９】
【補正対象書類名】特許請求の範囲
【補正対象項目名】全文
【補正方法】変更
【補正の内容】
【特許請求の範囲】
【請求項１】
撮影して得られた画像からユーザの顔認識を行って本人認証を行う情報処理装置であって、
撮影して得られた画像から顔に関する顔情報を取得する取得手段と、
所定の頻度で前記取得手段によって取得した顔情報を用いて、本人認証を行う認証手段と、
を備え、
前記認証手段は、本人として認証がなされた後、前記所定の頻度より低い頻度に変えて、前記本人認証を行うことを特徴とする情報処理装置。
【請求項２】
前記認証手段は、本人として認証がなされた後、前記画像の所定エリアにおける本人認証を行う頻度を所定の頻度より低い頻度に変えて当該本人認証を行うことを特徴とする請求項１に記載の情報処理装置。
【請求項３】
前記取得手段は、撮影して得られた画像から顔及び前記画像に対する該顔の位置を含む顔情報を取得し、
前記認証手段は、本人として認証がなされた後、前記取得手段によって取得した顔情報を用いて、前記顔の位置が前記所定エリアに位置する場合、本人認証を行う頻度を所定の頻度より低い頻度に変えて当該本人認証を行うことを特徴とする請求項２に記載の情報処理装置。
【請求項４】
前記認証手段は、前記取得手段によって取得した顔情報を用いて、前記顔の位置が前記所定エリアに位置しているときに、本人として認証がなされた後、当該所定エリアにおける本人認証を行う頻度を所定の頻度より低い頻度に変えて当該本人認証を行う請求項２または３に記載の情報処理装置。
【請求項５】
前記認証手段における本人認証を行う頻度は、前記本人認証を行う頻度を所定の頻度より低い頻度によって当該本人認証を行う、あるいは、当該本人認証を行わないことを特徴とする請求項１乃至４の何れか１項に記載の情報処理装置。
【請求項６】
前記取得手段は、顔の個数を算出し、
前記認証手段は、前記取得手段によって顔の個数が１個の時、前記顔の本人認証を行うことを特徴とする請求項１乃至５の何れか１項に記載の情報処理装置。
【請求項７】
前記取得手段によって、顔の個数が２個以上である場合、覗き込みが発生したことを通知する通知手段を備えたことと特徴とする請求項１乃至６の何れか１項に記載の情報処理装置。
【請求項８】
前記認証手段は、前記取得手段によって、前回取得した個数と異なると共に、１個の顔の個数を取得した時に、前記顔の認証を行うことを特徴とする請求項６または７に記載の情報処理装置。
【請求項９】
クライアント端末と、管理者用端末と、サーバと、がネットワークを介して接続され、撮影して得られた画像からユーザの顔認識を行って本人認証を行う情報処理システムであって、
撮影して得られた画像から顔に関する顔情報を取得する取得手段と、
所定の頻度で前記取得手段によって取得した顔情報を用いて、本人認証を行う認証手段と、
を備え、
前記認証手段は、本人として認証がなされた後、前記所定の頻度より低い頻度に変えて、前記本人認証を行うこと
を備えたことを特徴とする情報処理システム。
【請求項１０】
撮影して得られた画像からユーザの顔認識を行って本人認証を行う情報処理装置の制御方法であって、
前記情報処理装置は、
撮影して得られた画像から顔に関する顔情報を取得する取得ステップと、
所定の頻度で前記取得ステップによって取得した顔情報を用いて、本人認証を行う認証ステップと、
を実行し、
前記認証ステップは、本人として認証がなされた後、前記所定の頻度より低い頻度に変えて、前記本人認証を行うこと
を実行することを特徴とする情報処理装置の制御方法。
【請求項１１】
撮影して得られた画像からユーザの顔認識を行って本人認証を行う情報処理装置において読取実行可能なプログラムであって、
前記情報処理装置を、
撮影して得られた画像から顔に関する顔情報を取得する取得手段と、
所定の頻度で前記取得手段によって取得した顔情報を用いて、本人認証を行う認証手段と、
して機能させ、
前記認証手段は、本人として認証がなされた後、前記所定の頻度より低い頻度に変えて、前記本人認証を行うことと
して機能させるためのプログラム。
【請求項１２】
クライアント端末と、管理者用端末と、サーバと、がネットワークを介して接続され、撮影して得られた画像からユーザの顔認識を行って本人認証を行う情報処理システムの制御方法であって、
前記情報処理システムは、
撮影して得られた画像から顔に関する顔情報を取得する取得ステップと、
所定の頻度で前記取得ステップによって取得した顔情報を用いて、本人認証を行う認証ステップと、
を実行し、
前記認証ステップは、本人として認証がなされた後、前記所定の頻度より低い頻度に変えて、前記本人認証を行うことを
実行することを特徴とする情報処理システムの制御方法。
【請求項１３】
クライアント端末と、管理者用端末と、サーバと、がネットワークを介して接続され、撮影して得られた画像からユーザの顔認識を行って本人認証を行う情報処理システムで読取実行可能なプログラムあって、
前記情報処理システムを、
撮影して得られた画像から顔に関する顔情報を取得する取得手段と、
所定の頻度で前記取得手段によって取得した顔情報を用いて、本人認証を行う認証手段と、
して機能させ、
前記認証手段は、本人として認証がなされた後、前記所定の頻度より低い頻度に変えて、前記本人認証を行うことと
して機能させるためのプログラム。
【手続補正１０】
【補正対象書類名】図面
【補正対象項目名】図５
【補正方法】変更
【補正の内容】
【図５】
2017045485.tif 000001